(57)【特許請求の範囲】
【請求項１】
ボディと、このボディの下部に固定された重錘とを備えており、この重錘の下縁に、前後方向に沿って複数個の糸重錘係合用の凹部が形成されているエギ。
【請求項２】
上記凹部が、長径に平行な仮想直線によって切断された部分長円形状を呈している請求項１に記載のエギ。
【請求項３】
上記凹部が、直径に平行な仮想直線によって切断された部分円形状を呈している請求項１に記載のエギ。
【請求項４】
上記凹部の開口幅が、０．６５ｍｍ以上であり且つ１０ｍｍ以下である請求項１から３のいずれかに記載のエギ。
【請求項５】
上記重錘における前部に形成された糸重錘係止用の第一貫通孔と、この第一貫通孔より後側の位置に形成された糸重錘係止用の第二貫通孔とを有しており、上記凹部が、上記第二貫通孔から後方に形成されている請求項１から４のいずれかに記載のエギ。
【発明の詳細な説明】
【技術分野】
【０００１】
本発明は、イカ釣りに用いられるエギ（疑似餌）に関する。
【背景技術】
【０００２】
「エギング」と称されるイカ釣りが、盛んに行われている。このイカ釣りには、図６に示されるようなエギ５１が用いられる。エギ５１は、ボディ５２と、アイ５３と、針部５４と、板状の重錘（シンカーともいう）５５と、ヒレ５６とを備えている。ボディ５２は木又は合成樹脂から形成されており、エビに似た形態を備えている。アイ５３には、ラインが結ばれる。重錘５５には、糸重錘を係止するための二つの貫通孔５７が形成されている。
【０００３】
キャストされ、着水したエギ５１は、海底に向かって沈降する。この動作は「フォール」と呼ばれている。釣竿が大きく上方にしゃくられると、ラインに引っ張られてエギ５１は高速で上方へと移動する。この動作は「ジャンプ」と称されている。ラインが巻かれつつ竿先が左右に連続的に動かされると、エギ５１はジグザグに移動する。この動作は「ダート」と称されている。これらの動作により、イカはエギ５１をベイトと勘違いし、エギ５１に抱きつく。このとき、イカに針部５４が引っかかり、イカが釣り上げられる。
【０００４】
エギ５１の沈降姿勢は、その質量と重心位置とに大きく依存する。重心が後寄りのエギ５１は、ヘッド５８とテール５９とが水平を保ちつつ沈降する。一方、重心が前寄りのエギ５１は、テール５９よりもヘッド５８が下に位置しつつ沈降する。エギ５１の沈降速度も、その重心位置に大きく依存する。重心が後寄りのエギ５１は、ゆっくりと沈降する。一方、重心が前寄りのエギ５１は、速く沈降する。ジグザグに移動するときの幅（以下「ダート幅」と称される）も、エギ５１の質量及び重心位置に大きく依存する。
【０００５】
潮の流れの強さ及び方向、水深、水温、イカの活性等の状況に応じ、釣り人は、質量及び重心位置が適切なエギ５１を選択する。釣り人は、質量及び重心位置の異なる複数のエギ５１を準備しなければならない。このことは、釣り人にとって負担である。
【０００６】
釣り人によって重心位置のチューニングが行われることがある。具体的には、ボディ５２又は重錘５５の所定位置に糸重錘が巻き付けられる。これにより、エギ５１の重心位置が変更されうる。この巻き付け作業では、通常は、まず糸重錘の先端部が重錘５５の一の貫通孔５７に係止させられる。次いで糸重錘の所用長さ部分がボディ５２および重錘５５にぐるぐると巻き付けられる。最後に、切断された糸重錘の後端部が他の貫通孔５７に係止される。重錘５５の下端縁は一般的になめらかな直線状か曲線状に形成されている。従って、図示のようにボディ５２および重錘５５に巻き付けられた糸重錘は、滑って移動する可能性がある。その結果、重心位置が意に反して変化するおそれがある。また、滑った状態の糸重錘は、水底や藻に接触することによってボディ５２から外れるおそれもある。
【０００７】
一方、特開２００５−２１８３３１公報の図６に開示されているように、糸重錘をボディには巻き付けずに、重錘の係止用貫通孔に複数回通して取り付ける方法も知られている。この方法では、釣り人にとって厄介な作業が必要となる。しかも、糸重錘の取り付け長さに制限が生じる。
【先行技術文献】
【特許文献】
【０００８】
【特許文献１】特開２００５−２１８３３１公報
【発明の概要】
【発明が解決しようとする課題】
【０００９】
釣り人にとっては、糸重錘による重心位置のチューニングが、容易であり且つ広範囲で可能であることが望ましい。さらに、チューニング後の重心位置が変化せずに安定していることが重要である。換言すれば、糸重錘の取り付け作業が容易であり、糸重錘の巻き付け長さの制限が緩いのが望ましい。さらに、ボディおよび重錘に巻き付けられた糸重錘が位置変動しないことが重要である。本発明の目的は、糸重錘の取り付けが容易で、取り付け後の糸重錘が位置変動せずに安定するエギの提供にある。
【課題を解決するための手段】
【００１０】
本発明に係るエギは、
ボディと、このボディの下部に固定された重錘とを備えており、上記重錘の縁部の少なくとも一部に、糸重錘係合用の凹部が形成されている。従って、ボディ及び重錘に巻き付けられる糸重錘は上記凹部に係合するので、巻き付け作業が容易となる。また、ボディ及び重錘に巻き付けられた糸重錘は、その位置変動が防止されて安定する。
【００１１】
上記凹部が、長径に平行な仮想直線によって切断された部分長円形状に形成されていてもよい。
【００１２】
上記凹部が、直径に平行な仮想直線によって切断された部分円形状に形成されていてもよい。
【００１３】
上記凹部の開口幅が、０．６５ｍｍ以上であり且つ１０ｍｍ以下に形成されているのが好ましい。
【００１４】
上記重錘における前部に糸重錘係止用の第一貫通孔が形成され、この第一貫通孔より後側の位置に糸重錘係止用の第二貫通孔が形成され、上記凹部が、上記第二貫通孔から後方に形成されていてもよい。
【発明の効果】
【００１５】
本発明に係るエギでは、糸重錘のボディおよび重錘への巻き付け作業が容易であり、巻き付け後の糸重錘が位置変動せずに安定する。
【図面の簡単な説明】
【００１６】
【図１】図１は、糸重錘が巻き付けられた状態の、本発明の一実施形態に係るエギを示す正面図である。
【図２】図２は、図１のエギの重錘の部分を示す斜視図である。
【図３】図３は、ボディに固定された状態の重錘の他の例を示す正面図である。
【図４】図４は、図１のエギが使用された様子を、ラインと共に示す正面図である。
【図５】図５は、図１のエギが使用された様子を、ラインと共に示す正面図である。
【図６】図６は、従来のエギの一例を示す正面図である。
【発明を実施するための形態】
【００１７】
以下、適宜図面が参照されつつ、実施形態に基づいて本発明が詳細に説明される。
【００１８】
図１に示されたエギ１は、ボディ２と、それぞれがボディ２に取り付けられた重錘３、ヒレ４、アイ５及び針部６とを備えている。この明細書において「前後」を言う場合は、図１における左側がエギ１の前側とし、右側がエギ１の後側とする。また、「上下」については、ボディ２側が上側とし、重錘３側を下側とする。
【００１９】
ボディ２の形状は、エビに類似している。ボディ２は、ヘッド７及びテール８を有している。ボディ２は、木又は合成樹脂からなる。ボディ２の表面が、着色されてもよい。ボディ２の表面に、模様が画かれてもよい。着色や模様は、イカに対するアピールに寄与する。ボディ２にクロスが巻かれ、このクロスが着色されてもよい。
【００２０】
ヒレ４は、合成樹脂等からなる。ヒレ４は、羽毛状である。ヒレ４は、ボディ２に、接着剤等の手段によって接合されている。ヒレ４は、イカに対するアピールに寄与する。ヒレ４が、天然の羽毛からなってもよい。
【００２１】
アイ５は、ボディ２の前端に位置する。アイ５は、金属線が曲げられて形成されている。金属線の後端は、ボディ２に埋め込まれており、ボディ２に堅固に固定されている。このアイ５には、ラインが結ばれる。
【００２２】
針部６は、ボディ２の後端に位置する。針部６は、軸９、前針１０及び後針１１からなる。軸９の前端は、ボディ２に埋め込まれており、ボディ２に堅固に固定されている。前針１０は、軸９の途中から前方に向かって延びている。多数の前針１０が、放射状に配列されている。後針１１は、軸９の後端から前方に向かって延びている。多数の後針１１が、放射状に配列されている。前針１０及び後針１１は、先細り形状である。イカがエギ１に抱きついたとき、イカの触手が前針１０又は後針１１に引っ掛かる。これにより、イカが釣り上げられる。
【００２３】
重錘３はボディ２の前部の下面に固定されている。重錘３は海水の比重よりも大きな比重を有する。重錘３の典型的な材質は、鉛、鉛合金及びタングステン合金である。重錘３は板状を呈している。この重錘３及びボディ２の前部に糸重錘２０が幾重にも巻き付けられている。糸重錘２０はボディ２及び重錘３の前後方向に整列した状態で巻き付けられて面状となっている。糸重錘２０の典型的な材質は、鉛である。直径０．６５ｍｍ及び１ｍｍの糸重錘２０がよく用いられる。
【００２４】
図１及び図２を併せて参照すれば明らかなように、重錘３の外形状は一般的なエギの重錘の形状に類似している。すなわち、この重錘３は、前方から下方にかけてほぼ円弧状で、下端から後方にかけてほぼ直線状の下縁１２を有している。図２中、下縁１２に沿った内側の細線は下縁１２の面取り部分を示している。さらに、後端から上方にかけて前方向に戻るように傾斜した後縁１３を有している。重錘３の前部及びほぼ中央部それぞれに、糸重錘２０を係止するための貫通孔１４ａ、１４ｂが形成されている。図中の貫通孔１４ａ、１４ｂは二重丸で示されている。内側の実線の丸が実際の貫通孔１４ａ、１４ｂを示している。外側の細線の丸は貫通孔１４ａ、１４ｂの周縁の面取り部分を示している。
【００２５】
図２に示されるように、重錘３の下縁１２には、ボディ２および重錘３に巻き付けられる糸重錘２０が係合するための三個の凹部１５が形成されている。凹部１５の個数はとくに限定されない。一個、二個又は四個以上であってもよい。上記三個の凹部１５は、前後方向に、中央部貫通孔１４ｂの位置から後方に形成されている。
【００２６】
各凹部１５は、部分長円形状を呈している。詳細には、その長径に平行な仮想直線によって切断された部分長円形状を呈している。図１に示されたエギ１では、一つの凹部１５当たりに糸重錘２０が二重に巻き付けられている。凹部１５が部分長円形状とされることにより、巻き付けられる糸重錘２０が凹部１５内で前後方向に整列しうる。その結果、複数回巻き付けられた糸重錘２０が面状となってボディ２に密着する。この糸重錘２０の状態は、エギ１に対する水の抵抗を減少させる。凹部１５の前後方向の開口幅Ｗ１は、０．６５〜１０ｍｍの範囲にするのが好ましい。０．６５ｍｍ未満では糸重錘２０の係合効果が低下するからであり、１０ｍｍを超えれば、凹部１５内で糸重錘２０が移動するおそれがあるからである。深さＤ１は０．３３ｍｍ以上にするのが好ましい。０．３３ｍｍ未満では糸重錘２０が係合されにくいからである。凹部１５の最大深さは重錘３の大きさに応じて決定されるのが好ましい。
【００２７】
凹部の形状に対してとくに限定はない。巻き付けられる糸重錘２０が係合するのに好適な形状であれば、いかなる形状も採用されうる。
【００２８】
図３に示される重錘１６に形成された凹部１７は部分円形状を呈しており、詳細には、その直径に平行な仮想直線によって切断された部分円形状を呈している。この実施形態では凹部１７は六個形成されている。一個の凹部１７に一本の糸重錘２０が係合されることを想定したものである。上記六個の凹部１７は、前後方向に、中央部貫通孔１４ｂの位置から後方にかけて形成されている。
【００２９】
凹部１７の前後方向の開口幅Ｗ２は、０．６５〜２ｍｍの範囲にするのが好ましい。０．６５ｍｍ未満では糸重錘２０の係合効果が低下する。２ｍｍを超えれば、深さＤ２も深くなって、幾重もに巻き付けられた糸重錘２０が凹部１７内で面状とはならず、太い束となるからである。また、隣接する凹部１７の中心間距離Ｌは０．６５ｍｍ以上であるのが望ましい。０．６５ｍｍ未満では直径が０．６５ｍｍの糸重錘２０を整列状態で巻き付けることが困難だからである。深さＤ１は０．３３ｍｍ〜１ｍｍの範囲にするのが好ましい。０．３３ｍｍ未満では糸重錘２０の係合効果が低下する。また、１ｍｍを超えれば、開口幅Ｗ２も広くなって、幾重もに巻き付けられた糸重錘２０が凹部１７内で面状とはならず、太い束となるからである。
【００３０】
前述したいずれの凹部１５、１７も、その中に、一本または二本以上の糸重錘２０が整列して隙間が生じないように巻き付けられうるサイズに形成されるのが好ましい。また、前述したいずれの重錘３、１６においても、最前位置の凹部１５、１７の前端と中央部貫通孔１４ｂの前端とが、前後方向においてほぼ一致するのが好ましい。巻き付けられた糸重錘２０の後端が央部貫通孔１４ｂに対してしっかりと係止されうるからである。
【００３１】
図４には、糸重錘２０が装着されていないエギ１の使用状態が示されている。一般的なエギの重心は重錘３の位置より後寄りである。図４では、ヘッド７の高さとテール８の高さの差が小さい。換言すれば、エギ１は水中において、水平に近い姿勢を保持しつつ、沈降する。この姿勢では、水の抵抗が大きいので、エギ１は低速で沈降する。
【００３２】
図４において矢印Ａ１で示されているのは、アイ５に結ばれたライン１８にテンションが掛けられた状態でエギ１が沈降するときの沈降方向である。符号αで示されているのは、そのときの沈降角度である。重心が後寄りにあるエギ１では、沈降角度αは小さい。
【００３３】
釣り人がライン１８を巻きつつ竿先を左右に連続的に動かすと、エギ１はジグザグに移動する。重心が後寄りのエギ１は、小さなダート幅を伴って移動する。沈降速度が遅いエギ１、沈降角度が小さいエギ１又はダート幅が小さいエギ１に対してアタックしやすいイカがターゲットであるときは、糸重錘２０が装着されないことが有利である。
【００３４】
図５には糸重錘２０が装着されたエギ１の使用状態が示されている。この図５では、エギ１の重錘３の位置に糸重錘２０が装着されている。この糸重錘２０は高比重であり、かつボディ２の前寄りに装着されるので、エギ１の重心は図４のエギ１に比べて前寄りである。従って、エギ１は水中において、ヘッド７よりもテール８が高い位置にある姿勢を保持しつつ、沈降する。この姿勢では、水の抵抗が小さいので、エギ１は高速で沈降する。
【００３５】
図５において矢印Ａ２で示されているのは、ライン１８にテンションが掛けられた状態でエギ１が沈降するときの沈降方向である。符号βで示されているのは、そのときの沈降角度である。重心が前寄りにあるエギ１では、沈降角度βは大きい。
【００３６】
釣り人がライン１８を巻きつつ竿先を左右に連続的に動かすと、エギ１はジグザグに移動する。重心が前寄りのエギ１は、大きなダート幅を伴って移動する。沈降速度が速いエギ１、沈降角度が大きいエギ１又はダート幅が大きいエギ１に対してアタックしやすいイカがターゲットであるときは、糸重錘２０が装着されることが有利である。
【００３７】
釣り人は、釣り場の状況に応じ、適切な直径及び長さの糸重錘２０をエギ１に装着する。この装着作業の一例を図３の重錘１６を例にとって説明する。まず、糸重錘２０の先端を前部貫通孔１４ａに係止させる。ついで、複数の凹部１７のうち、装着すべき糸重錘２０の長さに対応するよう見計らった位置の凹部１７に糸重錘２０を係合させる。ついで、糸重錘２０を若干前方に傾斜させながら重錘３とボディ２に一巻きし、前方に隣接した凹部１７に係合させる。この巻き付け及び係合を繰り返し、糸重錘２０の後端を中央部貫通孔１４ｂに係止させて作業を終了する。もちろん、糸重錘２０の装着方法は上記には限定されない。しかし、糸重錘２０が、凹部１５（１７）内に整列した状態となるように巻き付けられれば、その位置変動が防止される。また、釣り場の状況が変化したとき、釣り人は糸重錘２０の後端側を切除してその長さを変更する。
【００３８】
以上に説明された実施形態では、前部貫通孔１４ａと中央部貫通孔１４ｂとが形成され、凹部１５（１７）は中央部貫通孔１４ｂから後方に形成されている。しかし、本願発明はかかる構成には限定されない。例えば、後部貫通孔と中央部貫通孔とが形成され、凹部は中央部貫通孔１４ｂから前方に形成されていてもよい。また、凹部は重錘の下縁の全体に形成されていてもよい。
【産業上の利用可能性】
【００３９】
本発明に係るエギは、その重心位置のチューニングが必要とされるような釣りに好適である。
【符号の説明】
【００４０】
１・・・エギ
２・・・ボディ
３・・・重錘
４・・・ヒレ
５・・・アイ
６・・・針部
７・・・ヘッド
８・・・テール
９・・・軸
１０・・・前針
１１・・・後針
１２・・・（重錘の）下縁
１３・・・（重錘の）後縁
１４・・・貫通孔
１５・・・凹部
１６・・・重錘
１７・・・凹部
１８・・・ライン
２０・・・糸重錘
【図１】
0005530726.tif 000002
【図２】
0005530726.tif 000003
【図３】
0005530726.tif 000004
【図４】
0005530726.tif 000005
【図５】
0005530726.tif 000006
【図６】
0005530726.tif 000007